(57)【要約】【課題】外光照度によることなく、常に高コントラストで表示を行う。【解決手段】腕時計であって、ネガ液晶表示素子１１Ａと、このネガ液晶表示素子１１Ａの視認側と反対側に当該ネガ液晶表示素子１１Ａと重ねて配置された有機ＥＬ表示素子１１Ｂと、照度を検出する光センサと、光センサに検出された照度が予め定められた設定値より小さい場合に、有機ＥＬ表示素子により表示を行うように制御する表示駆動回路部とを備えている。【選択図】図２
2007232882.tif 000002
【特許請求の範囲】
【請求項１】
対向して配置される一対の光透過性基板と、この一対の光透過性基板の非対向面上に配置される偏光板と、前記一対の光透過性基板の間に配置される液晶層とを有する第一の表示手段と、
この第一の表示手段の視認側と反対側に当該第一の表示手段と重ねて配置され、透明基板と、この透明基板に対向して配置される光反射部材と、この光反射部材と前記透明基板との間に配置される有機ＥＬ層とを有する第二の表示手段と、
照度を検出する照度検出手段と、
この照度検出手段に検出された照度が予め定められた値より小さい場合に、前記第二の表示手段により表示を行うように制御する表示制御手段と、
を備えることを特徴とする表示装置。
【請求項２】
前記表示制御手段は、前記第二の表示手段の光を透過するように、前記第一の表示手段に常に電圧を印加することを特徴とする請求項１に記載の表示装置。
【請求項３】
前記表示制御手段は、前記照度検出手段に検出された照度が予め定められた値以上の場合に、前記第一の表示手段により表示を行うように制御することを特徴とする請求項１に記載の表示装置。
【請求項４】
前記第一の表示手段の前記偏光板は、前記第二の表示手段の前記有機ＥＬ層が発光する光を偏向するための偏向作用を兼ね備えることを特徴とする請求項１〜３の何れか一項に記載の表示装置。
【請求項５】
対向して配置される一対の光透過性基板と、この一対の光透過性基板の非対向面上に配置される偏光板と、前記一対の光透過性基板の間に配置される液晶層とを有する第一の表示手段と、
この第一の表示手段の視認側と反対側に当該第一の表示手段と重ねて配置され、透明基板と、この透明基板に対向して配置される光反射部材と、この光反射部材と前記透明基板との間に配置される有機ＥＬ層とを有する第二の表示手段と、
照度を検出する照度検出手段と、
この照度検出手段に検出された照度に基づいて、前記第一の表示手段による表示と前記第二の表示手段による表示とを切り替えるように制御する表示切替制御手段と、
を備えることを特徴とする表示装置。
【請求項６】
対向して配置される一対の光透過性基板と、この一対の光透過性基板の間に配置される高分子分散液晶層とを有する第一の表示手段と、
この第一の表示手段の視認側と反対側に当該第一の表示手段と重ねて配置され、透明基板と、この透明基板に対向して配置される光反射部材と、この光反射部材と前記透明基板との間に配置される有機ＥＬ層とを有する第二の表示手段と、
照度を検出する照度検出手段と、
この照度検出手段に検出された照度が予め定められた値より小さい場合に、前記第二の表示手段により表示を行うように制御する表示制御手段と、
を備えることを特徴とする表示装置。
【請求項７】
前記表示制御手段は、前記第二の表示手段の光を透過するように、前記第一の表示手段に常に電圧を印加することを特徴とする請求項６に記載の表示装置。
【請求項８】
前記表示制御手段は、前記照度検出手段に検出された照度が予め定められた値以上の場合に、前記第一の表示手段により表示を行うように制御することを特徴とする請求項６に記載の表示装置。
【請求項９】
前記第一の表示手段の前記視認側と反対側の前記光透過性基板と前記第二の表示手段の前記透明基板は、何れか一方の基板により併用されることを特徴とする請求項６〜８の何れか一項に記載の表示装置。
【請求項１０】
対向して配置される一対の光透過性基板と、この一対の光透過性基板の間に配置される高分子分散液晶層とを有する第一の表示手段と、
この第一の表示手段の視認側と反対側に当該第一の表示手段と重ねて配置され、透明基板と、この透明基板に対向して配置される光反射部材と、この光反射部材と前記透明基板との間に配置される有機ＥＬ層とを有する第二の表示手段と、
照度を検出する照度検出手段と、
この照度検出手段に検出された照度に基づいて、前記第一の表示手段による表示と前記第二の表示手段による表示とを切り替えるように制御する表示切替制御手段と、
を備えることを特徴とする表示装置。
【請求項１１】
開口部を有する機器ケースと、
対向して配置される一対の光透過性基板と、この一対の光透過性基板の非対向面上に配置される偏光板と、前記一対の光透過性基板の間に配置される液晶層とを有する第一の表示手段と、
透明基板と、この透明基板に対向して配置される光反射部材と、この光反射部材と前記透明基板との間に配置される有機ＥＬ層とを有する第二の表示手段と、
照度を検出する照度検出手段と、
この照度検出手段に検出された照度が予め定められた値より小さい場合に、前記第二の表示手段により表示を行うように制御する表示制御手段と、を備え、
前記第一の表示手段及び前記第二の表示手段は、前記第一の表示手段を視認側にして重ねて前記機器ケースの開口部に配置され、
前記照度手段及び前記表示制御手段は、前記機器ケースの内部にそれぞれ配設されていることを特徴とする電子機器。
【請求項１２】
開口部を有する機器ケースと、
対向して配置される一対の光透過性基板と、この一対の光透過性基板の非対向面上に配置される偏光板と、前記一対の光透過性基板の間に配置される液晶層とを有する第一の表示手段と、
透明基板と、この透明基板に対向して配置される光反射部材と、この光反射部材と前記透明基板との間に配置される有機ＥＬ層とを有する第二の表示手段と、
照度を検出する照度検出手段と、
この照度検出手段に検出された照度に基づいて、前記第一の表示手段による表示と前記第二の表示手段による表示とを切り替えるように制御する表示切替制御手段と、を備え、
前記第一の表示手段及び前記第二の表示手段は、前記第一の表示手段を視認側にして重ねて前記機器ケースの開口部に配置され、
前記照度手段及び前記表示切替制御手段は、前記機器ケースの内部にそれぞれ配設されていることを特徴とする電子機器。
【請求項１３】
開口部を有する機器ケースと、
対向して配置される一対の光透過性基板と、この一対の光透過性基板の間に配置される高分子分散液晶層とを有する第一の表示手段と、
透明基板と、この透明基板に対向して配置される光反射部材と、この光反射部材と前記透明基板との間に配置される有機ＥＬ層とを有する第二の表示手段と、
照度を検出する照度検出手段と、
この照度検出手段に検出された照度が予め定められた値より小さい場合に、前記第二の表示手段により表示を行うように制御する表示制御手段と、を備え、
前記第一の表示手段及び前記第二の表示手段は、前記第一の表示手段を視認側にして重ねて前記機器ケースの開口部に配置され、
前記照度手段及び前記表示制御手段は、前記機器ケースの内部にそれぞれ配設されていることを特徴とする電子機器。
【請求項１４】
開口部を有する機器ケースと、
対向して配置される一対の光透過性基板と、この一対の光透過性基板の間に配置される高分子分散液晶層とを有する第一の表示手段と、
透明基板と、この透明基板に対向して配置される光反射部材と、この光反射部材と前記透明基板との間に配置される有機ＥＬ層とを有する第二の表示手段と、
照度を検出する照度検出手段と、
この照度検出手段に検出された照度に基づいて、前記第一の表示手段による表示と前記第二の表示手段による表示とを切り替えるように制御する表示切替制御手段と、を備え、
前記第一の表示手段及び前記第二の表示手段は、前記第一の表示手段を視認側にして重ねて前記機器ケースの開口部に配置され、
前記照度手段及び前記表示切替制御手段は、前記機器ケースの内部にそれぞれ配設されていることを特徴とする電子機器。
【発明の詳細な説明】
【技術分野】
【０００１】
本発明は、表示装置及びこれを備えた電子機器に関する。
【背景技術】
【０００２】
従来より、有機ＥＬ表示素子を用いた表示装置は、ＳＴＮやＴＦＴ液晶表示素子を備えたものよりも、応答速度が速く、視野角も広く、高輝度であり、バックライトを不要とすることで薄型にすることができるといった、様々な利点を備えている。
しかしながら、有機ＥＬ表示素子などの自発光する表示素子は、屋外にて外光の方が明るくなると、ユーザは表示を認識し難くなるといった問題がある。
【０００３】
そこで、ＳＴＮ液晶表示素子を用いた液晶パネルに反射板とバックライトを設け、周囲の明るさに応じて反射モードと透過モードを切り替えるようにしたものが提案されている（例えば、特許文献１参照）。
【特許文献１】特開２００５−２５００６３号公報
【発明の開示】
【発明が解決しようとする課題】
【０００４】
しかしながら、特許文献１等の場合、反射板は反射部と透過部とを有し、反射モードの際に反射板の反射部と液晶パネルの開口部とが重なるように、また、透過モードの際に反射板の透過部と液晶パネルの開口部とが重なるように当該反射板を周囲の明るさに応じて平行移動させることにより、反射モードと透過モードとを切り替えるようになっている。このため、装置が複雑化してしまうといった問題が生じ、現実的ではない。
また、反射板の反射効率と、バックライト光の透過効率が共に悪いので、十分な輝度を期待できない。更に、ＳＴＮ液晶表示素子の場合、解像度、応答速度、視野角などの性能が十分ではないといった問題もある。
【０００５】
そこで、本発明の課題は、外光照度によることなく、常に高コントラストで表示を行うことができる表示装置及びこれを備えた電子機器を提供することである。
【課題を解決するための手段】
【０００６】
請求項１に記載の発明の表示装置（例えば、図１の表示装置１１等）は、
対向して配置される一対の光透過性基板（例えば、図４の上光透過基板ａ３及び下光透過基板ａ４等）と、この一対の光透過性基板の非対向面上に配置される偏光板（例えば、図４の上偏光板ａ５及び下偏光板ａ６等）と、前記一対の光透過性基板の間に配置される液晶層（例えば、図４の液晶層ａ９等）とを有する第一の表示手段（例えば、図４のネガ液晶表示素子１１Ａ等）と、
この第一の表示手段の視認側と反対側に当該第一の表示手段と重ねて配置され、透明基板（例えば、図４の透明基板ｂ１等）と、この透明基板に対向して配置される光反射部材（例えば、図４のアルミ背電極ｂ７等）と、この光反射部材と前記透明基板との間に配置される有機ＥＬ層（例えば、図４の有機ＥＬ層ｂ５等）とを有する第二の表示手段（例えば、図４の有機ＥＬ表示素子１１Ｂ等）と、
照度を検出する照度検出手段（例えば、図３の光センサ１０８等）と、
この照度検出手段に検出された照度が予め定められた値より小さい場合に、前記第二の表示手段により表示を行うように制御する表示制御手段（例えば、図３の表示駆動回路部１０７等）と、
を備えることを特徴としている。
【０００７】
請求項２に記載の発明は、請求項１に記載の表示装置において、
前記表示制御手段は、前記第二の表示手段の光を透過するように、前記第一の表示手段に常に電圧を印加することを特徴としている。
【０００８】
請求項３に記載の発明は、請求項１に記載の表示装置において、
前記表示制御手段は、前記照度検出手段に検出された照度が予め定められた値以上の場合に、前記第一の表示手段により表示を行うように制御することを特徴としている。
【０００９】
請求項４に記載の発明は、請求項１〜３の何れか一項に記載の表示装置において、
前記第一の表示手段の前記偏光板は、前記第二の表示手段の前記有機ＥＬ層が発光する光を偏向するための偏向作用を兼ね備えることを特徴としている。
【００１０】
請求項５に記載の発明の表示装置（例えば、図１の表示装置１１等）は、
対向して配置される一対の光透過性基板（例えば、図４の上光透過基板ａ３及び下光透過基板ａ４等）と、この一対の光透過性基板の非対向面上に配置される偏光板（例えば、図４の上偏光板ａ５及び下偏光板ａ６等）と、前記一対の光透過性基板の間に配置される液晶層（例えば、図４の液晶層ａ９等）とを有する第一の表示手段（例えば、図４のネガ液晶表示素子１１Ａ等）と、
この第一の表示手段の視認側と反対側に当該第一の表示手段と重ねて配置され、透明基板（例えば、図４の透明基板ｂ１等）と、この透明基板に対向して配置される光反射部材（例えば、図４のアルミ背電極ｂ７等）と、この光反射部材と前記透明基板との間に配置される有機ＥＬ層（例えば、図４の有機ＥＬ層ｂ５等）とを有する第二の表示手段（例えば、図４の有機ＥＬ表示素子１１Ｂ等）と、
照度を検出する照度検出手段（例えば、図３の光センサ１０８等）と、
この照度検出手段に検出された照度に基づいて、前記第一の表示手段による表示と前記第二の表示手段による表示とを切り替えるように制御する表示切替制御手段（例えば、図３の表示駆動回路部１０７等）と、
を備えることを特徴としている。
【００１１】
請求項６に記載の発明の表示装置（例えば、図１１の表示装置３１１等）は、
対向して配置される一対の光透過性基板（例えば、図１２の上光透過基板ａ３及び下光透過基板ａ４等）と、この一対の光透過性基板の間に配置される高分子分散液晶層（例えば、図１２の高分子分散液晶層ａ３９等）とを有する第一の表示手段（例えば、図１２の高分子分散型液晶表示素子３１１Ａ等）と、
この第一の表示手段の視認側と反対側に当該第一の表示手段と重ねて配置され、透明基板（例えば、図１２の透明基板ｂ１等）と、この透明基板に対向して配置される光反射部材（例えば、図１２のアルミ背電極ｂ７等）と、この光反射部材と前記透明基板との間に配置される有機ＥＬ層（例えば、図１２の有機ＥＬ層ｂ５等）とを有する第二の表示手段（例えば、図１２の有機ＥＬ表示素子１１Ｂ等）と、
照度を検出する照度検出手段（例えば、図３の光センサ１０８等）と、
この照度検出手段に検出された照度が予め定められた値より小さい場合に、前記第二の表示手段により表示を行うように制御する表示制御手段（例えば、図３の表示駆動回路部１０７等）と、
を備えることを特徴としている。
【００１２】
請求項７に記載の発明は、請求項６に記載の表示装置において、
前記表示制御手段は、前記第二の表示手段の光を透過するように、前記第一の表示手段に常に電圧を印加することを特徴としている。
【００１３】
請求項８に記載の発明は、請求項６に記載の表示装置において、
前記表示制御手段は、前記照度検出手段に検出された照度が予め定められた値以上の場合に、前記第一の表示手段により表示を行うように制御することを特徴としている。
【００１４】
請求項９に記載の発明は、請求項６〜８の何れか一項に記載の表示装置において、
前記第一の表示手段の前記視認側と反対側の前記光透過性基板と前記第二の表示手段の前記透明基板は、何れか一方の基板（例えば、図１４の透明基板ｂ１等）により併用されることを特徴としている。
【００１５】
請求項１０に記載の発明の表示装置（例えば、図１１の表示装置３１１等）は、
対向して配置される一対の光透過性基板（例えば、図１２の上光透過基板ａ３及び下光透過基板ａ４等）と、この一対の光透過性基板の間に配置される高分子分散液晶層（例えば、図１２の高分子分散液晶層ａ３９等）とを有する第一の表示手段（例えば、図１２の高分子分散型液晶表示素子３１１Ａ等）と、
この第一の表示手段の視認側と反対側に当該第一の表示手段と重ねて配置され、透明基板（例えば、図１２の透明基板ｂ１等）と、この透明基板に対向して配置される光反射部材（例えば、図１２のアルミ背電極ｂ７等）と、この光反射部材と前記透明基板との間に配置される有機ＥＬ層（例えば、図１２の有機ＥＬ層ｂ５等）とを有する第二の表示手段（例えば、図１２の有機ＥＬ表示素子１１Ｂ等）と、
照度を検出する照度検出手段（例えば、図３の光センサ１０８等）と、
この照度検出手段に検出された照度に基づいて、前記第一の表示手段による表示と前記第二の表示手段による表示とを切り替えるように制御する表示切替制御手段（例えば、図３の表示駆動回路部１０７等）と、
を備えることを特徴としている。
【００１６】
請求項１１に記載の発明の電子機器（例えば、図１の腕時計１００等）は、
開口部（例えば、図２の開口部２ａ）を有する機器ケース（例えば、図２の時計ケース２等）と、
対向して配置される一対の光透過性基板（例えば、図４の上光透過基板ａ３及び下光透過基板ａ４等）と、この一対の光透過性基板の非対向面上に配置される偏光板（例えば、図４の上偏光板ａ５及び下偏光板ａ６等）と、前記一対の光透過性基板の間に配置される液晶層（例えば、図４の液晶層ａ９等）とを有する第一の表示手段（例えば、図４のネガ液晶表示素子１１Ａ等）と、
透明基板（例えば、図４の透明基板ｂ１等）と、この透明基板に対向して配置される光反射部材（例えば、図４のアルミ背電極ｂ７等）と、この光反射部材と前記透明基板との間に配置される有機ＥＬ層（例えば、図４の有機ＥＬ層ｂ５等）とを有する第二の表示手段（例えば、図４の有機ＥＬ表示素子１１Ｂ等）と、
照度を検出する照度検出手段（例えば、図３の光センサ１０８等）と、
この照度検出手段に検出された照度が予め定められた値より小さい場合に、前記第二の表示手段により表示を行うように制御する表示制御手段（例えば、図３の表示駆動回路部１０７等）と、を備え、
前記第一の表示手段及び前記第二の表示手段は、前記第一の表示手段を視認側にして重ねて前記機器ケースの開口部に配置され、
前記照度手段及び前記表示制御手段は、前記機器ケースの内部にそれぞれ配設されていることを特徴としている。
【００１７】
請求項１２に記載の発明の電子機器（例えば、図１の腕時計１００等）は、
開口部（例えば、図２の開口部２ａ）を有する機器ケース（例えば、図２の時計ケース２等）と、
対向して配置される一対の光透過性基板（例えば、図４の上光透過基板ａ３及び下光透過基板ａ４等）と、この一対の光透過性基板の非対向面上に配置される偏光板（例えば、図４の上偏光板ａ５及び下偏光板ａ６等）と、前記一対の光透過性基板の間に配置される液晶層（例えば、図４の液晶層ａ９等）とを有する第一の表示手段（例えば、図４のネガ液晶表示素子１１Ａ等）と、
透明基板（例えば、図４の透明基板ｂ１等）と、この透明基板に対向して配置される光反射部材（例えば、図４のアルミ背電極ｂ７等）と、この光反射部材と前記透明基板との間に配置される有機ＥＬ層（例えば、図４の有機ＥＬ層ｂ５等）とを有する第二の表示手段（例えば、図４の有機ＥＬ表示素子１１Ｂ等）と、
照度を検出する照度検出手段（例えば、図３の光センサ１０８等）と、
この照度検出手段に検出された照度に基づいて、前記第一の表示手段による表示と前記第二の表示手段による表示とを切り替えるように制御する表示切替制御手段（例えば、図３の表示駆動回路部１０７等）と、を備え、
前記第一の表示手段及び前記第二の表示手段は、前記第一の表示手段を視認側にして重ねて前記機器ケースの開口部に配置され、
前記照度手段及び前記表示切替制御手段は、前記機器ケースの内部にそれぞれ配設されていることを特徴としている。
【００１８】
請求項１３に記載の発明の電子機器（例えば、図１１の腕時計３００等）は、
開口部（例えば、図２の開口部２ａ）を有する機器ケース（例えば、図１１の時計ケース２等）と、
対向して配置される一対の光透過性基板（例えば、図１２の上光透過基板ａ３及び下光透過基板ａ４等）と、この一対の光透過性基板の間に配置される高分子分散液晶層（例えば、図１２の高分子分散液晶層ａ３９等）とを有する第一の表示手段（例えば、図１２の高分子分散型液晶表示素子３１１Ａ等）と、
透明基板（例えば、図１２の透明基板ｂ１等）と、この透明基板に対向して配置される光反射部材（例えば、図１２のアルミ背電極ｂ７等）と、この光反射部材と前記透明基板との間に配置される有機ＥＬ層（例えば、図１２の有機ＥＬ層ｂ５等）とを有する第二の表示手段（例えば、図１２の有機ＥＬ表示素子１１Ｂ等）と、
照度を検出する照度検出手段（例えば、図３の光センサ１０８等）と、
この照度検出手段に検出された照度が予め定められた値より小さい場合に、前記第二の表示手段により表示を行うように制御する表示制御手段（例えば、図３の表示駆動回路部１０７等）と、を備え、
前記第一の表示手段及び前記第二の表示手段は、前記第一の表示手段を視認側にして重ねて前記機器ケースの開口部に配置され、
前記照度手段及び前記表示制御手段は、前記機器ケースの内部にそれぞれ配設されていることを特徴としている。
【００１９】
請求項１４に記載の発明の電子機器（例えば、図１１の腕時計３００等）は、
開口部（例えば、図２の開口部２ａ）を有する機器ケース（例えば、図１１の時計ケース２等）と、
対向して配置される一対の光透過性基板（例えば、図１２の上光透過基板ａ３及び下光透過基板ａ４等）と、この一対の光透過性基板の間に配置される高分子分散液晶層（例えば、図１２の高分子分散液晶層ａ３９等）とを有する第一の表示手段（例えば、図１２の高分子分散型液晶表示素子３１１Ａ等）と、
透明基板（例えば、図１２の透明基板ｂ１等）と、この透明基板に対向して配置される光反射部材（例えば、図１２のアルミ背電極ｂ７等）と、この光反射部材と前記透明基板との間に配置される有機ＥＬ層（例えば、図１２の有機ＥＬ層ｂ５等）とを有する第二の表示手段（例えば、図１２の有機ＥＬ表示素子１１Ｂ等）と、
照度を検出する照度検出手段（例えば、図３の光センサ１０８等）と、
この照度検出手段に検出された照度に基づいて、前記第一の表示手段による表示と前記第二の表示手段による表示とを切り替えるように制御する表示切替制御手段（例えば、図３の表示駆動回路部１０７等）と、を備え、
前記第一の表示手段及び前記第二の表示手段は、前記第一の表示手段を視認側にして重ねて前記機器ケースの開口部に配置され、
前記照度手段及び前記表示切替制御手段は、前記機器ケースの内部にそれぞれ配設されていることを特徴としている。
【発明の効果】
【００２０】
請求項１に記載の発明によれば、屋外などの照度の高い状況下にて高コントラストで表示することができる第一の表示手段と、屋内などの照度の低い状況下でも自発光により高コントラストで表示することができる第二の表示手段とを用いて、屋外・屋内を問わず、常に高コントラストで表示を行うことができる。
即ち、屋内などの照度が予め定められた値より小さい場合であっても、有機ＥＬ層を有する第二の表示手段により表示を適正に行うことができ、外光照度によることなく、一の表示装置で常に高コントラストで表示を行うことができる。
【００２１】
請求項２に記載の発明によれば、請求項１に記載の発明と同様の効果が得られるのは無論のこと、特に、第一の表示手段を透過する光の透過率を高くすることができることとなり、第二の表示手段による表示に際して、この第二の表示手段に印加する電圧を低減して消費電力の低減を図ることができる。
【００２２】
請求項３に記載の発明によれば、請求項１に記載の発明と同様の効果が得られるのは無論のこと、特に、屋外などの照度が予め定められた値以上の場合には、液晶層を有する第一の表示手段により表示を適正に行うことができ、外光照度によることなく、一の表示装置で常に高コントラストで表示を行うことができる。
【００２３】
請求項４に記載の発明によれば、請求項１〜３の何れか一項に記載の発明と同様の効果が得られるのは無論のこと、特に、偏光板を第一の表示装置による表示及び第二の表示装置による表示に兼用することができることとなり、当該表示装置の薄型化を適正に図ることができる。
【００２４】
請求項５に記載の発明によれば、屋外などの照度の高い状況下にて高コントラストで表示することができる第一の表示手段による表示と、屋内などの照度の低い状況下でも自発光により高コントラストで表示することができる第二の表示手段による表示とを照度に応じて切り替えることができることとなり、外光照度によることなく、即ち、屋外・屋内を問わず、一の表示装置で常に高コントラストで表示を行うことができる。
【００２５】
請求項６に記載の発明によれば、屋外などの照度の高い状況下にて高コントラストで表示することができる第一の表示手段と、屋内などの照度の低い状況下でも自発光により高コントラストで表示することができる第二の表示手段とを用いて、屋外・屋内を問わず、常に高コントラストで表示を行うことができる。
即ち、屋内などの照度が予め定められた値より小さい場合であっても、有機ＥＬ層を有する第二の表示手段により表示を適正に行うことができ、外光照度によることなく、一の表示装置で常に高コントラストで表示を行うことができる。
また、高分子分散液晶を用いることで第一の表示手段に偏光板、位相差フィルム及び配光膜等を配設する必要がなくなり、通常の液晶を用いる場合に比べて表示装置の厚さを薄くすることができる。
【００２６】
請求項７に記載の発明によれば、請求項６に記載の発明と同様の効果が得られるのは無論のこと、特に、第一の表示手段を透過する光の透過率を高くすることができることとなり、第二の表示手段による表示に際して、この第二の表示手段に印加する電圧を低減して消費電力の低減を図ることができる。
【００２７】
請求項８に記載の発明によれば、請求項６に記載の発明と同様の効果が得られるのは無論のこと、特に、屋外などの照度が予め定められた値以上の場合には、高分子分散液晶層を有する第一の表示手段により表示を適正に行うことができ、外光照度によることなく、一の表示装置で常に高コントラストで表示を行うことができる。
【００２８】
請求項９に記載の発明によれば、請求項６〜８の何れか一項に記載の発明と同様の効果が得られるのは無論のこと、特に、第一の表示手段の光透過性基板と第二の表示手段の透明基板のうち、何れか一方の基板を除くことができるので、表示装置の厚さをより薄くすることができる。
【００２９】
請求項１０に記載の発明によれば、屋外などの照度の高い状況下にて高コントラストで表示することができる第一の表示手段による表示と、屋内などの照度の低い状況下でも自発光により高コントラストで表示することができる第二の表示手段による表示とを照度に応じて切り替えることができることとなり、外光照度によることなく、即ち、屋外・屋内を問わず、一の表示装置で常に高コントラストで表示を行うことができる。
また、高分子分散液晶を用いることで第一の表示手段に偏光板、位相差フィルム及び配光膜等を配設する必要がなくなり、通常の液晶を用いる場合に比べて表示装置の厚さを薄くすることができる。
【００３０】
請求項１１に記載の発明によれば、屋外などの照度の高い状況下にて高コントラストで表示することができる第一の表示手段と、屋内などの照度の低い状況下でも自発光により高コントラストで表示することができる第二の表示手段とを用いて、屋外・屋内を問わず、常に高コントラストで表示を行うことができる。
即ち、屋内などの照度が予め定められた値より小さい場合であっても、有機ＥＬ層を有する第二の表示手段により表示を適正に行うことができ、外光照度によることなく、常に高コントラストで表示を行うことができる。
【００３１】
請求項１２に記載の発明によれば、屋外などの照度の高い状況下にて高コントラストで表示することができる第一の表示手段による表示と、屋内などの照度の低い状況下でも自発光により高コントラストで表示することができる第二の表示手段による表示とを照度に応じて切り替えることができることとなり、外光照度によることなく、即ち、屋外・屋内を問わず、常に高コントラストで表示を行うことができる。
【００３２】
請求項１３に記載の発明によれば、屋外などの照度の高い状況下にて高コントラストで表示することができる第一の表示手段と、屋内などの照度の低い状況下でも自発光により高コントラストで表示することができる第二の表示手段とを用いて、屋外・屋内を問わず、常に高コントラストで表示を行うことができる。
即ち、屋内などの照度が予め定められた値より小さい場合であっても、有機ＥＬ層を有する第二の表示手段により表示を適正に行うことができ、外光照度によることなく、常に高コントラストで表示を行うことができる。
また、高分子分散液晶を用いることで第一の表示手段に偏光板、位相差フィルム及び配光膜等を配設する必要がなくなり、通常の液晶を用いる場合に比べて電子機器の厚さを薄くすることができる。
【００３３】
請求項１４に記載の発明によれば、屋外などの照度の高い状況下にて高コントラストで表示することができる第一の表示手段による表示と、屋内などの照度の低い状況下でも自発光により高コントラストで表示することができる第二の表示手段による表示とを照度に応じて切り替えることができることとなり、外光照度によることなく、即ち、屋外・屋内を問わず、常に高コントラストで表示を行うことができる。
また、高分子分散液晶を用いることで第一の表示手段に偏光板、位相差フィルム及び配光膜等を配設する必要がなくなり、通常の液晶を用いる場合に比べて電子機器の厚さを薄くすることができる。
【発明を実施するための最良の形態】
【００３４】
以下に、本発明について、図面を用いて具体的な態様を説明する。ただし、発明の範囲は、図示例に限定されない。
【００３５】
［実施形態１］
図１は、本発明を適用した実施形態１の電子機器の好適な一例として例示する腕時計１００を示す正面図であり、図２は、図１のII−II線における要部の拡大断面図である。また、図３は、腕時計１００の時計計時部１の要部構成を示すブロック図である。
【００３６】
図１及び図２に示すように、腕時計１００には、例えば、時計計時部１を内部に収納する機器ケースとしての時計ケース２が備えられている。
時計ケース２の上部中央には、例えば、その開口部２ａを閉塞するように時計ガラス３が装着され、また、時計ケース２の上部外周には、時字指標が設けられたベゼル４が配設されている。また、時計ケース２の下面には、その開口を閉塞するように防水リング５を介して裏蓋６が取り付けられている。さらに、裏蓋６と時計計時部１との間には、緩衝部材７が設けられている。さらに、時計ケース２の外周部には、入力部１０４（図３参照）を構成する当該腕時計１００の各種機能の実行を指示するスイッチ１０４ａ、…が設けられている。
また、図２に示すように、時計ケース２の時計計時部１を挟んだ両端部、即ち、時計ケース２の当該腕時計１００における１２時方向側及び６時方向側の端部には、バンド軸を介して時計バンド（図示略）を取り付けるための貫通部２ｂが設けられている。
【００３７】
時計計時部１は、例えば、図２に示すように、デジタル表示機能を備える表示装置１１と、視認側（図２における上側）に設けられた上部ハウジング１２と、視認側と反対側（図２における下側）に設けられた下部ハウジング１３とを備えて構成されている。
上部ハウジング１２の上部には、上面を時計ガラス３の下面にほぼ当接させるようにして枠状部材８が配設されている。
下部ハウジング１３には、当該腕時計１００が各種動作を行うための電源としての例えば電池（図示略）が組み込まれている。また、下部ハウジング１３と上部ハウジング１２との間には、表示装置１１とインターコネクター１４を介して接続されたＰＷＢなどの回路基板１５が配置されている。
【００３８】
インターコネクター１４は、例えば、表示装置１１の１２時方向側及び６時方向側の端部に接続されるように配設され、表示装置１１の各電極（後述）と回路基板１５とを電気的に接続するものである。
【００３９】
また、時計計時部１は、例えば、図３に示すように、ＣＰＵ（Central Processing Unit）１０１と、ＲＡＭ（Random Access Memory）１０２と、ＲＯＭ（Read Only Memory）１０３と、入力部１０４と、計時回路部１０５と、発振回路部１０６と、表示駆動回路部１０７と、光センサ１０８等を備えて構成されている。なお、これらのうち、ＣＰＵ１０１、ＲＡＭ１０２、ＲＯＭ１０３、計時回路部１０５、発振回路部１０６、表示駆動回路部１０７は、例えば、回路基板１５に実装されている。
【００４０】
ＣＰＵ１０１は、例えば、所定のタイミングか、或いは入力部１０４から入力された操作信号等に基づいて、ＲＯＭ１０３に格納されている各種プログラムを読み出してＲＡＭ１０２の作業領域に展開し、当該プログラムに従って各種処理を実行するものである。
具体的には、ＣＰＵ１０１は、例えば、計時回路部１０５で計数される現在時刻データに基づく表示信号を表示駆動回路部１０７に出力して現在時刻を表示させる等の各種制御を行うようになっている。
【００４１】
ＲＡＭ１０２は、例えば、揮発性の半導体メモリであり、ＣＰＵ１０１により実行される各種プログラムや、これらのプログラムの実行に係るデータ等を一時的に保持するためのメモリ領域を備え、ＣＰＵ１０１の作業領域として用いられる。
ＲＯＭ１０３は、読み出し専用のメモリであり、腕時計１００の種々の機能を実現させるための各種プログラムやデータ等を記憶するものである。
【００４２】
入力部１０４は、例えば、ユーザによる各スイッチ１０４ａの操作に基づいて、対応するスイッチ１０４ａの操作信号をＣＰＵ１０１に対して出力するようになっている。
【００４３】
計時回路部１０５には、例えば、常時一定周波数の信号を出力する発振回路部１０６が接続されている。そして、計時回路部１０５は、例えば、発振回路部１０６から入力される信号を計数して、現在時刻データ等を取得し、当該現在時刻データをＣＰＵ１０１に対して出力するようになっている。
【００４４】
光センサ１０８は、照度検出手段として外光の照度を検出し、その照度検出信号をＣＰＵ１０１に対して出力するようになっている。
【００４５】
表示駆動回路部１０７は、表示制御手段として、例えば、ＣＰＵ１０１から出力され入力されたデータや制御信号等に基づいて表示装置１１の駆動を制御して、この表示装置１１に各種情報を表示させる表示処理を行うものである。
【００４６】
ここで、表示装置１１について図面を参照して詳細に説明する。
図４は、表示装置１１の構成を模式的に示す断面図である。また、図５は、表示装置１１のネガ液晶表示素子１１Ａと有機ＥＬ表示素子１１Ｂの各表示パターンｐ１、ｐ２を模式的に示した斜視図である。また、図６は、表示装置１１の表示状態を模式的に示した図である。
【００４７】
表示装置１１は、例えば、図２に示すように、上部ハウジング１２に収容されたネガ液晶表示素子（第一の表示手段）１１Ａと、このネガ液晶表示素子１１Ａの視認側と反対側に当該ネガ液晶表示素子１１Ａと重ねて配置された有機ＥＬ表示素子（第二の表示手段）１１Ｂ等を備えている。
【００４８】
ネガ液晶表示素子１１Ａは、例えば、図４に示すように、上下一対の透明電極ａ１、ａ２をそれぞれ有する上下の光透過基板ａ３、ａ４と、上光透過基板ａ３の視認側の面（上下一対の光透過性基板ａ３、ａ４の非対向面）に配設された上偏光板ａ５と、下光透過基板ａ４の視認側と反対側の面（上下一対の光透過性基板ａ３、ａ４の非対向面）に配設された下偏光板ａ６と、上透明電極ａ１の視認側と反対側の面に配設された上配向膜ａ７と、下透明電極ａ２の視認側の面に配設された下配向膜ａ８と、上下の配向膜ａ７、ａ８の間に封止された液晶からなる液晶層ａ９等を備えている。
【００４９】
上下の光透過基板ａ３、ａ４は、例えば、ガラス基板等から構成されている。
上下の透明電極ａ１、ａ２は、例えば、時刻などの各種情報を表示するための表示パターンｐ１を構成するものである。
上下の偏光板ａ５、ａ６は、例えば、各々の透過軸方向にほぼ平行する方向の振動面をもつ直線偏光を透過し、透過軸方向とほぼ直交する方向の振動面をもつ直線偏光を吸収するものである。
上下の配向膜ａ７、ａ８は、例えば、液晶層ａ９中の液晶を所定の方向に配向させるものである。
【００５０】
そして、ネガ液晶表示素子１１Ａは、例えば、表示駆動回路部１０７の制御下にて、上下の透明電極ａ１、ａ２間に所定の電圧が印加されることによって、時刻などの各種情報をデジタル表示するようになっている。具体的には、ネガ液晶表示素子１１Ａは、例えば、図５に示すように、時刻などの各種情報に対応する画素部分を光透過状態（透明）とし、且つ、それ以外の背景に対応する画素部分を光吸収状態（黒）とするネガ表示を行うようになっている。
【００５１】
有機ＥＬ（Electro Luminescence）表示素子１１Ｂは、例えば、図４に示すように、視認側から透明基板ｂ１、透明電極ｂ２、ホール注入層ｂ３、ホール輸送層ｂ４、有機ＥＬ層ｂ５、電子注入層ｂ６、アルミ背電極ｂ７、封止材ｂ８とが積層されて構成されたものである。
【００５２】
透明基板ｂ１は、例えば、ガラス基板やプラスチックフィルム等から構成され、有機ＥＬ層ｂ５の発光に対して透過性を有するものである。
透明電極ｂ２は、例えば、ネガ液晶表示素子１１Ａの表示パターンｐ１とほぼ同じ形状をなし、時刻などの各種情報を表示するための表示パターンｐ２を構成するものである。
ホール注入層ｂ３は、例えば、ホール（正孔）を注入するものであり、ホール輸送層ｂ４は、注入されたホールを有機ＥＬ層ｂ５に運搬するものである。
電子注入層ｂ６は、例えば、電子を有機ＥＬ層ｂ５に注入するものである。
アルミ背電極ｂ７は、例えば、有機ＥＬ層ｂ５の発光や、ネガ液晶表示素子１１Ａを透過して入射される外光に対して反射性を有する光反射部材を構成している。
封止材ｂ８は、例えば、ガラスや金属等から構成され、異物の混入を防止するためのものである。
【００５３】
そして、有機ＥＬ表示素子１１Ｂは、例えば、表示駆動回路部１０７の制御下にて、透明電極ｂ２及びアルミ背電極ｂ７に所定の電圧が印加されることによって、透明電極ｂ２側から注入されたホールとアルミ背電極ｂ７側から注入された電子とが有機ＥＬ層ｂ５で再結合し蛍光色素などを励起することで発光して、時刻などの各種情報を表示するようになっている（図５参照）。
【００５４】
なお、有機ＥＬ表示素子１１Ｂからの発光は、例えば、ネガ液晶表示素子１１Ａの下偏光板ａ６によって、その透過軸方向にほぼ平行する方向の振動面をもつ直線偏光のみネガ液晶表示素子１１Ａ内を透過して外部に発せられることとなる。
このように、下偏光板ａ６は、ネガ液晶表示素子１１Ａ内を透過する光の偏光作用と、有機ＥＬ表示素子１１Ｂの有機ＥＬ層ｂ５が発光する光を偏向する偏向作用を兼ね備えている。これによって、表示装置１１の薄型化を適正に図ることができる。
【００５５】
また、ネガ液晶表示素子１１Ａと有機ＥＬ表示素子１１Ｂは、例えば、図５に示すように、互いの表示パターンｐ１、ｐ２を構成する複数の画素を重ね合わせるようにして配置されている。
【００５６】
次に、表示駆動回路部１０７による表示装置１１の表示制御について詳細に説明する。
表示駆動回路部１０７は、光センサ１０８にて検出された外光の照度が予め定められた設定値（例えば、１００ｃｄ／ｍ２）より小さい場合に、即ち、屋内等の外光の照度が低い場所では、有機ＥＬ表示素子１１Ｂにより各種情報の表示を行うように表示装置１１を制御するようになっている。
このとき、表示駆動回路部１０７は、有機ＥＬ表示素子１１Ｂの発光を透過するようにネガ液晶表示素子１１Ａに常に電圧を印加するようになっている。具体的には、表示駆動回路部１０７は、有機ＥＬ表示素子１１Ｂにより所定情報の発光表示を行う際に、当該有機ＥＬ表示素子１１Ｂの所定画素の発光に同期させて、ネガ液晶表示素子１１Ａのうち、有機ＥＬ表示素子１１Ｂの発光画素に対応する画素部分がネガ表示されるようにネガ液晶表示素子１１Ａを駆動制御するようになっている。
【００５７】
また、表示駆動回路部１０７は、光センサ１０８にて検出された外光の照度が予め定められた設定値以上の場合に、即ち、屋外等の外光の照度が高い場所では、有機ＥＬ表示素子１１Ｂにより表示を行わずにネガ液晶表示素子１１Ａにより各種情報の表示を行うように表示装置１１を制御するようになっている。
【００５８】
従って、表示駆動回路部１０７は、時刻などの各種情報を表示装置１１に表示させる際に、外光の照度の高い屋外などでは、ネガ液晶表示素子１１Ａにより各種情報をネガ表示させる。これにより、当該ネガ表示部分を透過した光が有機ＥＬ表示素子１１Ｂのアルミ背電極ｂ７にて反射して、反射光がネガ液晶表示素子１１Ａを再度透過して腕時計１００の外部に出射されることで、黒い背景中に各種情報が銀色（アルミ色）で表示された状態となってユーザにより視認されることとなる（図６参照）。
一方、外光の照度の低い屋内などでは、表示駆動回路部１０７は、ネガ液晶表示素子１１Ａによる各種情報のネガ表示に加えて、有機ＥＬ表示素子１１Ｂによりネガ表示と同様の情報を発光表示させる。これにより、有機ＥＬ表示素子１１Ｂの発光（アルミ背電極ｂ７での反射光を含む）は、ネガ液晶表示素子１１Ａにおける各種情報のネガ表示部分を透過して外部に出射されることで、黒い背景中に各種情報が銀色で表示された状態となってユーザにより視認されることとなる（図６参照）。
【００５９】
次に、表示駆動回路部１０７による表示処理について、図７を参照して説明する。
図７は、表示処理に係る動作の一例を示すフローチャートである。
【００６０】
図７に示すように、表示装置１１に時刻などの所定の情報を表示させる場合には、先ず、表示駆動回路部１０７は、ネガ液晶表示素子１１Ａにより所定の情報をネガ表示させるように表示装置１１を制御する（ステップＳ１）。
続けて、光センサ１０８による外光の照度測定を行って（ステップＳ２）、表示駆動回路部１０７は、測定された外光の照度が予め定められた設定値より小さいか否か（設定値が外光の照度以上であるか否か）を判定する（ステップＳ３）。
ここで、設定値が外光の照度以上である（外光の照度が予め定められた値より小さい）と判定されると（ステップＳ３；ＹＥＳ）、表示駆動回路部１０７は、ネガ液晶表示素子１１Ａによる所定の情報のネガ表示に加えて、有機ＥＬ表示素子１１Ｂによりネガ表示と同様の情報を発光表示させる（ステップＳ４）。
【００６１】
続けて、表示駆動回路部１０７は、表示装置１１による所定の情報の表示停止（表示ＯＦＦ）が指示されているか否かを判定する（ステップＳ５）。
ここで、表示ＯＦＦが指示されていると判定されると（ステップＳ５；ＹＥＳ）、また、ステップＳ３にて、設定値が外光の照度よりも小さい（外光の照度が設定値以上である）と判定されると（ステップＳ３；ＮＯ）、表示駆動回路部１０７は、所定の情報の表示を停止させるように表示装置１１を制御する（ステップＳ６）。
一方、ステップＳ５にて、表示ＯＦＦが指示されていないと判定されると（ステップＳ５；ＮＯ）、ステップＳ２に移行して、それ以降の処理が実行される。
これにより、表示処理を終了する。
【００６２】
以上のように、実施形態１の腕時計１００によれば、屋外などの照度の高い状況下にて高コントラストで表示することができるネガ液晶表示素子１１Ａと、屋内などの照度の低い状況下でも自発光により高コントラストで表示することができる有機ＥＬ表示素子１１Ｂとを備える表示装置１１を用いて、屋外・屋内を問わず、常に高コントラストで表示を行うことができる。
即ち、屋外などの照度が予め定められた値以上の場合には、液晶層ａ９を有するネガ液晶表示素子１１Ａにより表示を適正に行うことができ、一方、屋内などの照度が予め定められた値より小さい場合には、有機ＥＬ層ｂ５を有する有機ＥＬ表示素子１１Ｂにより表示を適正に行うことができるので、外光照度によることなく、一の表示装置１１で常に高コントラストで表示を行うことができる。
【００６３】
また、有機ＥＬ表示素子１１Ｂの光を透過するように、ネガ液晶表示素子１１Ａに常に電圧を印加することによって、ネガ液晶表示素子１１Ａを透過する光の透過率を高くすることができることとなり、有機ＥＬ表示素子１１Ｂによる表示に際して、この有機ＥＬ表示素子１１Ｂに印加する電圧を低減して消費電力の低減を図ることができる。
【００６４】
なお、上記実施形態１では、表示処理にて、表示駆動回路部１０７は、光センサ１０８にて検出された外光の照度が設定値より小さい場合に、ネガ液晶表示素子１１Ａによる表示に加えて、有機ＥＬ表示素子１１Ｂによる表示を行うようにしたが、表示処理はこれに限られるものではない。
以下に、表示処理の変形例について図８を参照して説明する。
【００６５】
＜変形例１＞
図８は、変形例１の腕時計による表示処理に係る動作の一例を示すフローチャートである。
なお、変形例１の腕時計は、表示駆動回路部１０７による表示処理以外の構成は、上記実施形態１と略同様であるので、同様の構成には同一の符号を付してその説明を省略する。
【００６６】
変形例１の腕時計の表示駆動回路部１０７は、表示切替制御手段として、例えば、光センサ１０８にて検出された外光の照度に基づいて、ネガ液晶表示素子１１Ａによる情報の表示と有機ＥＬ表示素子１１Ｂによる情報の表示とを切り替えるように制御するようになっている。
即ち、表示駆動回路部１０７は、光センサ１０８にて検出された外光の照度が予め定められた設定値（例えば、１００ｃｄ／ｍ２）より小さい場合に、有機ＥＬ表示素子１１Ｂにより各種情報の表示を行うように表示装置１１を制御する一方で、光センサ１０８にて検出された外光の照度が設定値以上の場合に、ネガ液晶表示素子１１Ａにより各種情報の表示を行うように表示装置１１を制御するようになっている。
【００６７】
具体的には、図８に示すように、表示装置１１に時刻などの所定の情報を表示させる場合には、光センサ１０８による外光の照度測定を行って（ステップＳ１０１）、表示駆動回路部１０７は、測定された外光の照度が予め定められた設定値より小さいか否か（設定値が外光の照度以上であるか否か）を判定する（ステップＳ１０２）。
ここで、設定値が外光の照度以上である（外光の照度が予め定められた値より小さい）と判定されると（ステップＳ１０２；ＹＥＳ）、表示駆動回路部１０７は、有機ＥＬ表示素子１１Ｂにより所定の情報を発光表示させるように表示装置１１を制御する（ステップＳ１０３）。一方、設定値が外光の照度よりも小さい（外光の照度が設定値以上である）と判定されると（ステップＳ１０２；ＮＯ）、表示駆動回路部１０７は、ネガ液晶表示素子１１Ａにより所定の情報をネガ表示させるように表示装置１１を制御する（ステップＳ１０４）。
その後、ステップＳ５に移行して、それ以降の処理が実行される。
【００６８】
このように、変形例１の腕時計によれば、屋外などの照度の高い状況下にて高コントラストで表示することができるネガ液晶表示素子１１Ａによる表示と、屋内などの照度の低い状況下でも自発光により高コントラストで表示することができる有機ＥＬ表示素子１１Ｂによる表示とを照度に応じて切り替えることができることとなり、外光照度によることなく、即ち、屋外・屋内を問わず、一の表示装置１１で常に高コントラストで表示を行うことができる。
【００６９】
また、有機ＥＬ表示素子１１Ｂをフルカラーで表示させて、表示装置１１による表示のコントラスト調整を行うようにしても良い。
以下に、変形例２の腕時計について図９及び図１０を参照して詳細に説明する。
【００７０】
＜変形例２＞
ここで、図９は、変形例２の腕時計に備わる表示装置２１１の構成を模式的に示す断面図であり、図１０は、表示装置２１１のカラーフィルタ付き液晶表示素子２１１Ａとフルドット有機ＥＬ表示素子２１１Ｂの各画素を模式的に示した斜視図である。
なお、変形例２の腕時計は、表示装置２１１の構成以外の点は、上記実施形態１と略同様であるので、同様の構成には同一の符号を付してその説明を省略する。
【００７１】
変形例２の腕時計の表示装置２１１は、例えば、図９に示すように、フルドットカラー表示に対応したフルドット有機ＥＬ表示素子２１１Ｂと、このフルドット有機ＥＬ表示素子２１１Ｂからの発光のうち特定の色成分だけを透過させるカラーフィルタａ１０を備えるカラーフィルタ付き液晶表示素子２１１Ａ等を備えている。
そして、カラーフィルタ付き液晶表示素子２１１Ａとフルドット有機ＥＬ表示素子２１１Ｂは、例えば、図１０に示すように、互いの表示パターンを構成する複数の画素を重ね合わせるようにして配置されている。
【００７２】
また、表示装置２１１による表示処理にあっては、例えば、光センサ１０８による外光の照度測定の結果、測定された外光の照度が予め定められた設定値以上の場合には、表示駆動回路部１０７は、上記実施形態１と同様に、カラーフィルタ付き液晶表示素子２１１Ａにより所定の情報をネガ表示させるようになっている。一方、外光の照度が設定値より小さい場合には、表示駆動回路部１０７は、カラーフィルタ付き液晶表示素子２１１Ａの全ての画素を透過状態（透明）とし、且つ、フルドット機ＥＬ表示素子２１１Ｂからの発光のうち、所定の情報に対応する画素部分からの発光色とそれ以外の画素部分からの発光色のコントラストが大きくなるようにカラーフィルタａ１０により所定の色に着色して階調を調整するようになっている。
【００７３】
このように、変形例２の腕時計によれば、フルドット有機ＥＬ表示素子２１１Ｂによりフルカラー表示を行ってコントラストの調整を行うことができるので、屋外・屋内を問わず、常に高コントラストで表示を行うことができる。
【００７４】
なお、上記実施形態１では、ネガ液晶表示素子１１Ａ及びカラーフィルタ付き液晶表示素子２１１Ａ内を透過する光の偏光作用と、有機ＥＬ表示素子１１Ｂ及びフルドット有機ＥＬ表示素子２１１Ｂの有機ＥＬ層ｂ５が発光する光を偏向する偏向作用を兼ね備る下偏光板ａ６を備えるようにしたが、これに限られるものではなく、例えば、ネガ液晶表示素子１１Ａ、カラーフィルタ付き液晶表示素子２１１Ａ、有機ＥＬ表示素子１１Ｂ及びフルドット有機ＥＬ表示素子２１１Ｂに個別に偏光板を具備させるようにしても良い。
【００７５】
［実施形態２］
以下に、実施形態２の腕時計３００について図１１〜図１３を参照して説明する。
ここで、図１１は、本発明を適用した実施形態２の電子機器の好適な一例として例示する腕時計３００を示す正面図である。また、図１２は、腕時計３００に備わる表示装置３１１の構成を模式的に示す断面図であり、図１３は、表示装置３１１の高分子分散型液晶表示素子３１１Ａと有機ＥＬ表示素子１１Ｂの各表示パターンｐ３、ｐ２を模式的に示した斜視図である。
なお、実施形態２の腕時計３００は、表示装置３１１の構成以外の点では上記実施形態１と略同様であるので、同様の構成には同一の符号を付してその説明を省略する。
【００７６】
実施形態２の腕時計３００は、例えば、図１１及び図１２に示すように、有機ＥＬ表示素子１１Ｂの視認側に配設された高分子分散型液晶表示素子３１１Ａを有する表示装置３１１を備えている。
高分子分散型液晶表示素子３１１Ａは、例えば、図１２に示すように、上下一対の透明電極ａ１、ａ２をそれぞれ有する上下の光透過基板ａ３、ａ４と、上透明電極ａ１と下透明電極ａ２の間に封止された高分子分散液晶層ａ３９等を備えている。
【００７７】
高分子分散液晶層ａ３９は、例えば、光の波長程度（０.５から数μｍ）の液晶微粒子が高分子材料中に分散されてなるものであり、電界印加により液晶分子が電界方向に配光して光透過状態（透明）となり、また、電界除去により液晶分子がポリマーネットワーク表面に沿うように並んで光散乱状態（白濁）となる。このため、例えばネマティック液晶等から構成された一般的なＬＣＤで必要な配光膜や配光処理が不要となっている。また、高分子分散液晶層ａ３９は、光散乱を利用するものであるため、従来の多くの液晶素子で使用されている偏光板を用いる必要がないので、透過率が高く、光の利用効率が良いという特徴を有している。これにより、明るく、視角依存性の低い液晶表示パネルを提供できる。
【００７８】
また、高分子分散型液晶表示素子３１１Ａと有機ＥＬ表示素子１１Ｂは、例えば、図１３に示すように、互いの表示パターンｐ３、ｐ２を構成する複数の画素を重ね合わせるようにして配置されている。
【００７９】
次に、表示駆動回路部１０７による表示装置３１１の表示制御について詳細に説明する。
表示駆動回路部１０７は、光センサ１０８にて検出された外光の照度が予め定められた設定値（例えば、１００ｃｄ／ｍ２）より小さい場合に、即ち、屋内等の外光の照度が低い場所では、有機ＥＬ表示素子１１Ｂにより各種情報の表示を行うように表示装置３１１を制御するようになっている。
このとき、表示駆動回路部１０７は、有機ＥＬ表示素子１１Ｂの発光を透過するように高分子分散型液晶表示素子３１１Ａに常に電圧を印加するようになっている。具体的には、表示駆動回路部１０７は、有機ＥＬ表示素子１１Ｂにより所定情報の発光表示を行う際に、当該有機ＥＬ表示素子１１Ｂの所定画素の発光に同期させて、高分子分散型液晶表示素子３１１Ａのうち、有機ＥＬ表示素子１１Ｂの発光画素に対応する画素部分を透明表示（光透過状態）とし、且つ、それ以外の背景に対応する画素部分を白濁表示（光散乱状態）とするように高分子分散型液晶表示素子３１１Ａを駆動制御するようになっている。
【００８０】
また、表示駆動回路部１０７は、光センサ１０８にて検出された外光の照度が予め定められた設定値以上の場合に、即ち、屋外等の外光の照度が高い場所では、有機ＥＬ表示素子１１Ｂにより表示を行わずに、高分子分散型液晶表示素子３１１Ａのみにより各種情報の表示を行うように表示装置３１１を制御するようになっている。
【００８１】
従って、表示駆動回路部１０７は、時刻などの各種情報を表示装置３１１に表示させる際に、外光の照度の高い屋外などでは、高分子分散型液晶表示素子３１１Ａにより各種情報に対応する画素部分を透明表示とし、且つ、それ以外の背景に対応する画素部分を白濁表示とさせる。これにより、当該透明表示部分を透過した光が有機ＥＬ表示素子１１Ｂのアルミ背電極ｂ７にて反射して、反射光が高分子分散型液晶表示素子３１１Ａを再度透過して腕時計３００の外部に出射されることで、白い背景中に各種情報が銀色（アルミ色）で表示された状態となってユーザにより視認されることとなる。
一方、外光の照度の低い屋内などでは、表示駆動回路部１０７は、高分子分散型液晶表示素子３１１Ａによる各種情報の表示に加えて、有機ＥＬ表示素子１１Ｂにより高分子分散型液晶表示素子３１１Ａの透明表示と同様の情報を発光表示させる。これにより、有機ＥＬ表示素子１１Ｂの発光（アルミ背電極ｂ７での反射光を含む）は、高分子分散型液晶表示素子３１１Ａにおける各種情報の透明表示部分を透過して外部に出射されることで、白い背景中に各種情報が銀色で表示された状態となってユーザにより視認されることとなる。
【００８２】
以上のように、実施形態２の腕時計３００によれば、屋外などの照度の高い状況下にて高コントラストで表示することができる高分子分散型液晶表示素子３１１Ａと、屋内などの照度の低い状況下でも自発光により高コントラストで表示することができる有機ＥＬ表示素子１１Ｂとを備える表示装置３１１を用いて、屋外・屋内を問わず、常に高コントラストで表示を行うことができる。
即ち、屋外などの照度が予め定められた値以上の場合には、高分子分散液晶層ａ３９を有する高分子分散型液晶表示素子３１１Ａにより表示を適正に行うことができ、一方、屋内などの照度が予め定められた値より小さい場合には、有機ＥＬ層ｂ５を有する有機ＥＬ表示素子１１Ｂにより表示を適正に行うことができるので、外光照度によることなく、一の表示装置３１１で常に高コントラストで表示を行うことができる。
【００８３】
また、高分子分散液晶を用いることで高分子分散型液晶表示素子３１１Ａに偏光板、位相差フィルム及び配光膜等を配設する必要がなくなり、通常の液晶を用いる場合に比べて表示装置３１１の厚さを薄くすることができる。
【００８４】
さらに、有機ＥＬ表示素子１１Ｂの光を透過するように、高分子分散型液晶表示素子３１１Ａに常に電圧を印加することによって、高分子分散型液晶表示素子３１１Ａを透過する光の透過率を高くすることができることとなり、有機ＥＬ表示素子１１Ｂによる表示に際して、この有機ＥＬ表示素子１１Ｂに印加する電圧を低減して消費電力の低減を図ることができる。
【００８５】
なお、上記実施形態２では、表示処理にて、表示駆動回路部１０７は、光センサ１０８にて検出された外光の照度が設定値より小さい場合に、高分子分散型液晶表示素子３１１Ａによる表示に加えて、有機ＥＬ表示素子１１Ｂによる表示を行うようにしたが、表示処理はこれに限られるものではない。例えば、表示駆動回路部１０７は、表示切替制御手段として、光センサ１０８にて検出された外光の照度に基づいて、高分子分散型液晶表示素子３１１Ａによる情報の表示と有機ＥＬ表示素子１１Ｂによる情報の表示とを切り替えるように制御しても良い。
即ち、表示駆動回路部１０７は、光センサ１０８にて検出された外光の照度が予め定められた設定値（例えば、１００ｃｄ／ｍ２）より小さい場合に、有機ＥＬ表示素子１１Ｂにより各種情報の表示を行うように表示装置３１１を制御する一方で、光センサ１０８にて検出された外光の照度が設定値以上の場合に、高分子分散型液晶表示素子３１１Ａにより各種情報の表示を行うように表示装置３１１を制御するようにしても良い。
これにより、屋外などの照度の高い状況下にて高コントラストで表示することができる高分子分散型液晶表示素子３１１Ａによる表示と、屋内などの照度の低い状況下でも自発光により高コントラストで表示することができる有機ＥＬ表示素子１１Ｂによる表示とを照度に応じて切り替えることができることとなり、外光照度によることなく、即ち、屋外・屋内を問わず、一の表示装置３１１で常に高コントラストで表示を行うことができる。
【００８６】
また、上記実施形態２における高分子分散型液晶表示素子３１１Ａの下光透過基板ａ４と有機ＥＬ表示素子１１Ｂの透明基板ｂ１とを、何れか一方の一枚の基板で併用するようにしても良い。
以下に、変形例３の腕時計について図１４を参照して詳細に説明する。
【００８７】
＜変形例３＞
ここで、図１４は、変形例３の腕時計に備わる表示装置４１１の構成を模式的に示す断面図である。
なお、変形例３の腕時計は、表示装置４１１の構成以外の点は、上記実施形態２と略同様であるので、同様の構成には同一の符号を付してその説明を省略する。
【００８８】
変形例３の腕時計の表示装置４１１は、例えば、図１４に示すように、有機ＥＬ表示素子４１１Ｂの透明基板ｂ１が高分子分散型液晶表示素子４１１Ａの下側の光透過基板として併用されている。即ち、高分子分散型液晶表示素子４１１Ａは、上光透過基板ａ３と有機ＥＬ表示素子４１Ｂの透明基板ｂ１との間に上下の透明電極ａ１、ａ２を介して高分子分散液晶層ａ３９が封止されている。
【００８９】
このように、変形例３の腕時計によれば、高分子分散型液晶表示素子４１１Ａの光透過性基板と有機ＥＬ表示素子４１１Ｂの透明基板ｂ１のうち、何れか一方の基板を除くことができるので、表示装置４１１の厚さをより薄くすることができる。
【００９０】
なお、上記変形例３では、有機ＥＬ表示素子４１１Ｂの透明基板ｂ１を高分子分散型液晶表示素子４１１Ａの下側の光透過基板としても併用するようにしたが、これに限られるものではなく、例えば、高分子分散型液晶表示素子４１１Ａの下光透過基板ａ４（図１２参照）を有機ＥＬ表示素子４１１Ｂの透明基板としても併用するようにしても良い。
【００９１】
［実施形態３］
以下に、実施形態３の携帯電話機５００について図１５及び図１６を参照して説明する。
ここで、図１５は、本発明を適用した実施形態３の電子機器の好適な一例として例示する携帯電話機５００を示す正面図であり、図１６は、図１５のＸＶI−ＸＶI線における要部の部分拡大断面図である。
【００９２】
図１５に示すように、本実施形態の携帯電話機５００は、本体部５０１と、本体部５０１にヒンジ結合部５０２を介して連結された蓋部５０３とを備えて構成された折り畳み型の携帯電話機５００である。
携帯電話機５００は、主に蓋部５０３を開いた状態（開状態）で使用するものであり、この状態で、本体部５０１の一方の面（携帯電話機５００を閉じた状態で蓋部５０３と対向する側の面）には、スイッチ群５１２、通話用マイク５１３等が設けられ、また、蓋部５０３の一方の面（当該携帯電話機５００を閉じた状態で本体部５０１と対向する側の面）には、上端に配置された通話用スピーカ５３１と、この通話用スピーカ５３１の下側にて、ガラス板５３２を介して視認側に液晶表示素子５１１Ａを臨ませるように配設された表示装置５１１とが設けられている。
【００９３】
表示装置５１１は、例えば、図１６に示すように、蓋部５０３の機器ケースとしての筐体５３３内の開口部側（図１６における上側）に配設され、液晶表示素子５１１Ａと、有機ＥＬ表示素子１１Ｂ等を備えている。
液晶表示素子５１１Ａは、例えば、上記実施形態１及び実施形態２におけるネガ液晶表示素子１１Ａや高分子分散型液晶表示素子３１１Ａ等を適用することができる。即ち、例えば、液晶表示素子５１１Ａがネガ液晶表示素子１１Ａである場合、上下の光透過基板ａ３、ａ４と、上下の偏光板ａ５、ａ６と、上下の透明電極ａ１、ａ２と、上下の配向膜ａ７、ａ８と、液晶層ａ９等を備え（図４参照）、一方、高分子分散型液晶表示素子３１１Ａである場合、上下の光透過基板ａ３、ａ４と、高分子分散液晶層ａ３９等を備えて構成されている（図１２参照）。
有機ＥＬ表示素子１１Ｂは、例えば、上記実施形態１及び実施形態２に係るものと同様の構成を採っている。即ち、有機ＥＬ表示素子１１Ｂは、例えば、透明基板ｂ１と、透明電極ｂ２と、ホール注入層ｂ３と、ホール輸送層ｂ４と、有機ＥＬ層ｂ５と、電子注入層ｂ６と、アルミ背電極ｂ７と、封止材ｂ８等を備えている（図４参照）。
【００９４】
また、表示装置５１１の視認側と反対側には、表示装置５１１とインターコネクター５１４を介して接続されたＰＷＢなどの回路基板５１５が配設されている。
回路基板５１５は、例えば、上記実施形態１及び実施形態２に係るものと同様の構成を採っている。即ち、回路基板５１５には、ＣＰＵ１０１、ＲＡＭ１０２、ＲＯＭ１０３、計時回路部１０５、発振回路部１０６、表示駆動回路部１０７等が実装されている。また、ＣＰＵ１０１には、照度検出手段としての光センサ１０８が接続されている。
【００９５】
表示駆動回路部１０７は、表示制御手段として、例えば、ＣＰＵ１０１から出力され入力されたデータや制御信号等に基づいて表示装置５１１の駆動を制御して、この表示装置５１１に各種情報を表示させる表示処理を行うものである。具体的には、表示駆動回路部１０７は、光センサ１０８にて検出された外光の照度が予め定められた設定値（例えば、１００ｃｄ／ｍ２）より小さい場合に、即ち、屋内等の外光の照度が低い場所では、有機ＥＬ表示素子１１Ｂにより各種情報の表示を行うように表示装置５１１を制御するようになっている。
また、表示駆動回路部１０７は、光センサ１０８にて検出された外光の照度が予め定められた設定値以上の場合に、即ち、屋外等の外光の照度が高い場所では、有機ＥＬ表示素子１１Ｂにより表示を行わずに液晶表示素子５１１Ａにより各種情報の表示を行うように表示装置５１１を制御するようになっている。
なお、表示駆動回路部１０７による表示装置５１１（有機ＥＬ表示素子１１Ｂ及び液晶表示素子５１１Ａ）の表示制御は、上記実施形態１及び実施形態２における制御と略同様であり、その説明を省略する。
【００９６】
また、携帯電話機５００は、少なくとも他の電話機等と通話可能に構成されたものであれば如何なるものであっても良く、上記説明した本発明に係る構成以外の携帯電話機５００の構成については、その説明を省略する。
【００９７】
以上のように、実施形態３の携帯電話機５００によれば、屋外などの照度の高い状況下にて高コントラストで表示することができる液晶表示素子５１１Ａと、屋内などの照度の低い状況下でも自発光により高コントラストで表示することができる有機ＥＬ表示素子１１Ｂとを備える表示装置５１１を用いて、屋外・屋内を問わず、常に高コントラストで表示を行うことができる。
即ち、屋内などの照度が予め定められた値より小さい場合であっても、有機ＥＬ層ｂ５を有する有機ＥＬ表示素子１１Ｂにより表示を適正に行うことができ、外光照度によることなく、常に高コントラストで表示を行うことができる。
【００９８】
また、液晶表示素子５１１Ａとして、高分子分散型液晶表示素子３１１Ａを用いた場合には、偏光板、位相差フィルム及び配光膜等を配設する必要がなくなり、通常の液晶を用いる場合に比べて携帯電話機５００の厚さを薄くすることができる。
【００９９】
なお、上記実施形態３にあっては、例えば、表示駆動回路部１０７は、表示切替制御手段として、光センサ１０８にて検出された外光の照度に基づいて、液晶表示素子５１１Ａによる情報の表示と有機ＥＬ表示素子１１Ｂによる情報の表示とを切り替えるように制御しても良い。
即ち、表示駆動回路部１０７は、光センサ１０８にて検出された外光の照度が予め定められた設定値（例えば、１００ｃｄ／ｍ２）より小さい場合に、有機ＥＬ表示素子１１Ｂにより各種情報の表示を行うように表示装置５１１を制御する一方で、光センサ１０８にて検出された外光の照度が設定値以上の場合に、液晶表示素子５１１Ａにより各種情報の表示を行うように表示装置５１１を制御するようにしても良い。
これにより、屋外などの照度の高い状況下にて高コントラストで表示することができる液晶表示素子５１１Ａによる表示と、屋内などの照度の低い状況下でも自発光により高コントラストで表示することができる有機ＥＬ表示素子１１Ｂによる表示とを照度に応じて切り替えることができることとなり、外光照度によることなく、即ち、屋外・屋内を問わず、常に高コントラストで表示を行うことができる。
【０１００】
なお、本発明は、上記実施形態１〜３に限定されることなく、本発明の趣旨を逸脱しない範囲において、種々の改良並びに設計の変更を行っても良い。
例えば、上記実施形態１〜３では、有機ＥＬ表示素子１１Ｂ、４１１Ｂ（フルドット有機ＥＬ表示素子２１１Ｂ）の光を透過するように、ネガ液晶表示素子１１Ａや高分子分散型液晶表示素子３１１Ａ、４１１Ａ（液晶表示素子５１１Ａ）に常に電圧を印加するようにしたが、必ずしも常に電圧を印加するようにする必要はない。
【０１０１】
また、上記実施形態１〜３では、電子機器として腕時計１００、３００及び携帯電話機５００を例示したが、これに限られるものではなく、有機ＥＬ表示素子１１Ｂ、４１１Ｂ（フルドット有機ＥＬ表示素子２１１Ｂ）及びネガ液晶表示素子１１Ａ（高分子分散型液晶表示素子３１１Ａ、４１１Ａ）を備える電子機器であれば如何なるものであっても良い。
【図面の簡単な説明】
【０１０２】
【図１】本発明を適用した実施形態１の電子機器の好適な一例として例示する腕時計を示す正面図である。
【図２】図１のII−II線における要部の拡大断面図である。
【図３】図１の腕時計の要部構成を示すブロック図である。
【図４】図１の腕時計に備わる表示装置の構成を模式的に示す断面図である。
【図５】図４の表示装置のネガ液晶表示素子と有機ＥＬ表示素子の表示パターンを模式的に示した斜視図である。
【図６】図４の表示装置の表示状態を模式的に示した図である。
【図７】図１の腕時計による表示処理に係る動作の一例を示すフローチャートである。
【図８】変形例１の腕時計による表示処理に係る動作の一例を示すフローチャートである。
【図９】変形例２の腕時計に備わる表示装置の構成を模式的に示す断面図である。
【図１０】図９の表示装置のカラーフィルタ付き液晶表示素子とフルドット有機ＥＬ表示素子の表示パターンを模式的に示した斜視図である。
【図１１】本発明を適用した実施形態２の電子機器の好適な一例として例示する腕時計を示す正面図である。
【図１２】図１１の腕時計に備わる表示装置の構成を模式的に示す断面図である。
【図１３】図１２の表示装置の高分子分散型液晶表示素子と有機ＥＬ表示素子の表示パターンを模式的に示した斜視図である。
【図１４】変形例３の腕時計に備わる表示装置の構成を模式的に示す断面図である。
【図１５】本発明を適用した実施形態３の電子機器の好適な一例として例示する携帯電話機を示す正面図である。
【図１６】図１５のＸＶI−ＸＶI線における要部の部分拡大断面図である。
【符号の説明】
【０１０３】
１００、３００  腕時計（電子機器）
２        時計ケース（機器ケース）
２ａ      開口部
１１、２１１、３１１、４１１、５１１  表示装置
１１Ａ    ネガ液晶表示素子（第一の表示手段）
ａ３      上光透過基板（光透過性基板）
ａ４      下光透過基板（光透過性基板）
ａ５      上偏光板
ａ６      下偏光板
ａ９      液晶層
１１Ｂ、４１１Ｂ  有機ＥＬ表示素子（第二の表示手段）
ｂ１      透明基板
ｂ５      有機ＥＬ層
ｂ７      アルミ背電極（光反射部材）
１０７    表示駆動回路部（表示制御手段、表示切替制御手段）
１０８    光センサ（照度検出手段）
２１１Ａ  カラーフィルタ付き液晶表示素子
２１１Ｂ  フルドット有機ＥＬ表示素子
３１１Ａ、４１１Ａ  高分子分散型液晶表示素子（第一の表示手段）
ａ３９    高分子分散液晶層
５００    携帯電話機（電子機器）
５１１Ａ  液晶表示素子（第一の表示手段）
５３３    筐体（機器ケース）
【図１】
2007232882.tif 000003
【図２】
2007232882.tif 000004
【図３】
2007232882.tif 000005
【図４】
2007232882.tif 000006
【図５】
2007232882.tif 000007
【図６】
2007232882.tif 000008
【図７】
2007232882.tif 000009
【図８】
2007232882.tif 000010
【図９】
2007232882.tif 000011
【図１０】
2007232882.tif 000012
【図１１】
2007232882.tif 000013
【図１２】
2007232882.tif 000014
【図１３】
2007232882.tif 000015
【図１４】
2007232882.tif 000016
【図１５】
2007232882.tif 000017
【図１６】
2007232882.tif 000018